(57)【要約】【課題】広告の表示部と併設する音声入力部と画像入力部から得た情報により自律的に性別、人通りを算定し、これに応じた広告を選択的に表示する。【解決手段】広告情報表示システムは、広告情報データベース、課金情報データベース、特徴情報データベースを備えたデータベースシステムと、このデータベースシステムから広告情報を取得し表示する広告表示システムを具備する。広告表示システムは、各入力部から得た画像情報と音声情報を基に人通り、通過する人物の男女比を算定し、最適な広告情報をデータベースシステムから取得し表示する。また、データベースシステムが備える広告情報データベースへデータを登録、参照するために、操作用の端末部を備えたデータ登録／参照システムを具備している。【選択図】図１
2010224329.tif 000002
【特許請求の範囲】
【請求項１】
広告情報データベース、課金情報データベース、特徴情報データベースを備えたデータベースシステムと、該データベースシステムから広告情報を取得し表示する広告表示システムと、前記広告情報データベースへデータを登録、参照するデータ登録／参照システムからなる広告情報表示システムであって、
前記データベースシステムは、
前記広告情報データベース、前記課金情報データベースのデータを取得、更新し、前記特徴情報データベースのデータを取得するデータ取得／登録処理部
を備え、
前記広告表示システムは、
前記データベースシステムから取得した広告情報を表示する表示部と、
設置場所の画像情報を取得する画像入力部と、
設置場所の音声情報を取得する音声入力部と、
入力された画像と音声を解析し、人通りと設置場所に存在する人物の性別比を算定する入力データ解析処理部と、
該入力データ解析処理部の解析結果である人通りと性別比とから最適な広告情報を前記データベースシステムから取得する広告情報取得処理部と、
該広告情報取得処理部が取得した広告情報の表示処理をする広告情報表示処理部と、
内蔵時計と
を備え、
前記データ登録／参照システムは、
操作するための端末部と、
前記広告情報データベースを参照するデータ参照要求処理部と、
前記広告情報データベースを更新するデータ登録要求処理部と
を備える
ことを特徴とする広告情報表示システム。
【請求項２】
広告情報データベース、課金情報データベース、特徴情報データベースと前記広告情報データベース、前記課金情報データベースのデータを取得、更新し、前記特徴情報データベースのデータを取得するデータ取得／登録処理部を備えたデータベースシステムと、
該データベースシステムから取得した広告情報を表示する表示部と、設置場所の画像情報を取得する画像入力部と、設置場所の音声情報を取得する音声入力部と、入力された画像と音声を解析し人通りと設置場所に存在する人物の性別比を算定する入力データ解析処理部と、該入力データ解析処理部の解析結果である人通りと性別比とから最適な広告情報を前記データベースシステムから取得する広告情報取得処理部と、該広告情報取得処理部の取得した広告情報の表示処理をする広告情報表示処理部と、内蔵時計とを備える広告表示システムと、
前記データベースシステムが備える広告情報データベースへデータを登録、参照するデータ登録／参照システムと
からなる広告情報表示システムの広告情報表示方法であって、
設置場所の画像と音声とを取得する画像音声取得ステップと、
該画像音声取得ステップにて取得した情報を解析処理して人通りと性別比を算定する入力データ解析処理ステップと、
該入力データ解析処理ステップにて解析した結果に基づき最適な広告情報を前記データベースシステムから取得する広告情報取得処理ステップと、
該広告情報取得処理ステップにて取得した広告情報を表示処理して表示する広告情報表示処理ステップと
からなる広告情報表示方法。
【発明の詳細な説明】
【技術分野】
【０００１】
本発明は、設置環境の音声情報と画像情報を取り込み、この情報を検索条件として公衆回線に接続されたデータベースシステムから最適な広告情報を取得し、表示するシステムに関するものである。
【背景技術】
【０００２】
屋外や建物内の任意の場所に広告表示装置を設置し広告情報を表示することで、歩行者または建物の利用者に対して広告活動を行うシステムが普及している。また、宣伝効果を高めるため広告の視聴者の嗜好に応じた広告内容を選択的に表示する技術に対して需要があり、Web広告の分野ではすでに実用化がなされている。
【０００３】
特許文献１は、広告表示装置の設置場所に応じた広告情報を出力することができる広告システムである。
【先行技術文献】
【特許文献】
【０００４】
【特許文献１】特開２００９−２０５６０号公報
【発明の概要】
【発明が解決しようとする課題】
【０００５】
ところで、広告の視聴者の嗜好性や表示する時間帯、視聴者数を前提として、これに応じた広告を行うことが宣伝活動の費用対効果の面で望ましい。
【０００６】
特許文献１の発明により、設置場所に応じた広告内容を表示することができるが、性別、人通り、時刻に応じた広告を表示することはできない。
【０００７】
本発明の目的は、広告の表示部と併設する音声入力部と画像入力部から得た情報により自律的に性別、人通りを算定し、算定結果と時刻情報を合わせて、視聴者に最適な宣伝効果の高い広告を選択し表示するシステムを提供することである。
【課題を解決するための手段】
【０００８】
上記目的を達成するために、本発明の広告情報表示システムは、広告情報データベース、課金情報データベース、特徴情報データベースを備えたデータベースシステムと、このデータベースシステムから広告情報を取得し表示する広告表示システムと、データベースシステムが備える広告情報データベースへデータを登録または参照するデータ登録／参照システムからなる広告情報表示システムであって、前記データベースシステムは、前記広告情報データベース、課金情報データベースのデータを取得または更新する手段と、前記特徴情報データベースのデータを取得する手段を備え、
前記広告表示システムは、データベースシステムから取得した広告情報を表示する表示部と、設置場所の画像情報を取得する画像入力部と、設置場所の音声情報を取得する音声入力部と、入力された画像と音声を解析し、人通りと設置場所に存在する人物の性別比を算定する手段と、人通りと性別比から最適な広告情報を取得する手段と、広告情報を表示する手段と、これらの手段で利用する内蔵時計とを備え、前記データ登録／参照システムは、システムを操作するための端末部と、広告情報データベースを参照、更新する手段とを設けたものである。
【発明の効果】
【０００９】
本発明の広告情報表示システムによれば、次のような効果がある。
本システムを任意の場所に設置することで、広告を表示する際の条件となる情報を与えることなく、設置場所の人通り、通過する人物の性別、時刻を自律的に判断し、これらを条件として最適な広告を取得し、表示することができる。
【図面の簡単な説明】
【００１０】
【図１】本発明の一実施の形態例を示すシステム構成図である。
【図２】広告情報データベースに格納されているデータの構成図である。
【図３】課金情報データベースに格納されているデータの構成図である。
【図４】特徴情報データベースに格納されているデータの構成図である。
【図５】広告表示システムからデータベースシステムへ送信するデータフレームとデータベースシステムから広告表示システムへ返信するデータフレームの構成図である。
【図６】広告表示システムからデータベースシステムへ送信するデータフレームの構成図である。
【図７】データ参照／更新システムからデータベースシステムへ更新または参照要求を送信するデータフレームと、これに対する返信のデータフレームの構成図である。
【図８】入力データ解析処理の処理概要を示すフローチャートである。
【図９】画像情報解析処理の処理概要を示すフローチャートである。
【図１０】部分画像情報の説明図である。
【図１１】音声情報解析処理の処理概要を示すフローチャートである。
【図１２】広告情報検索処理の処理概要を示すフローチャートである。
【図１３】広告情報表示処理の処理概要を示すフローチャートである。
【図１４】データ参照要求処理とデータ登録要求処理の処理概要を示すフローチャートである。
【図１５】データ参照要求処理を行う際の操作画面のイメージである。
【図１６】データ参照要求処理で取得した広告情報の表示画面のイメージである。
【図１７】データ登録要求処理を行う際の操作画面のイメージである。
【図１８】データ取得／更新処理の処理概要を示すフローチャートである。
【発明を実施するための形態】
【００１１】
以下、本発明を適用した広告表示システムの一実施の形態について説明する。
【００１２】
図１は、本発明の実施の形態の一例を示すシステム構成図であり、本広告システムは、広告情報データベース１１１、課金情報データベース１１２、特徴情報データベース１１３を備えたデータベースシステム１１と、このデータベースシステム１１から広告情報および特徴情報を取得し設置環境に合致する広告を表示部１４に表示する広告表示システム１２と、広告表示システム１２の処理に利用する内蔵時計１３と、広告を表示する表示部１４と、表示部１４の設置環境の画像を取得する画像入力部１５と、表示部１４の設置環境の音声を取得する音声入力部１６と、広告情報データベース１１１へ広告データを登録または参照するデータ登録／参照システム１７と、これを操作する端末部１８から構成され、データベースシステム１１とデータ登録／参照システムと広告表示システム１２は公衆回線網１９によるネットワークで接続されている。
【００１３】
データベースシステム１１には、広告情報や広告の表示条件などを格納する広告情報データベース１１１と、表示が行われた広告に対する課金情報を格納する課金情報データベース１１２と、画像解析を行う際に利用する特徴情報を格納する特徴情報データベース１１３が設けられている。
【００１４】
また、データベースシステム１１には広告表示システム１２、データ登録／参照システム１７からの広告情報データベース１１１や特徴情報データベース１１３のデータ取得要求を処理するデータ取得登録処理１１４を備えている。
【００１５】
広告情報データベース１１１に格納される広告情報、広告表示条件は図２に示すように、データに対して一意に設定される広告ID２０１、広告情報の検索条件となる表示時刻２０２、性別比２０３、通過人数２０４、表示部１４に表示する広告情報２０５、広告情報を1回表示した際に広告主が支払う広告価格２０６から構成され、広告ID２０１ごとにデータが登録される。なお、性別比２０３とは単位時間当たりに表示部１４の前を通過した広告の視聴者に対する男性の割合である。
【００１６】
例えば、ある広告主が9:00〜12:00の時間帯で、視聴者のうち男性の割合が90%で、単位時間当たりの通過人数が10人で、1回の表示で10,000円を負担する場合、表示時刻２０２として「9:00〜12:00」、性別比２０３として「90%」、通過人数２０４として「10人」、広告情報２０５として「広告主が表示したい広告情報」、広告価格２０６として「\10,000」が登録される。
【００１７】
この登録は、端末部からデータ登録／参照システム１７を通して行う事ができる。
【００１８】
課金情報データベース１１２に格納される課金情報は図３に示すように、課金の対象となる広告ID３０１、広告情報が表示された回数である広告表示回数３０２から構成され、広告ID３０１ごとにデータが登録される。
【００１９】
例えば、ある広告が1回表示されている場合、広告ID３０１として「1回表示された広告情報の広告ID」、広告表示回数３０２として「1回」が登録される。
【００２０】
この登録は、広告表示システム１２により広告情報が表示された後に行われる。
【００２１】
特徴情報データベース１１３に格納され画像解析を行う際に利用する特徴情報は、図４に示すように、特徴情報を一意に識別する特徴ID４０１、特徴IDに対応する特徴情報４０２から構成され、特徴ID４０１ごとにデータが登録される。特徴情報４０２とは、入力データ解析処理により表示部の前を通過する視聴者数をカウントする際に利用する、人の頭部または顔を識別するための画像パターンデータである。
【００２２】
この情報の登録は、端末部１８からデータ登録／参照システム１７を介して行う。
【００２３】
図５の（ａ）は、広告表示システム１２がデータベースシステム１１に対して送信する広告情報の取得要求のフレーム構成図である。広告情報データベース１１１に格納されている広告情報の送信を依頼する場合は、広告情報取得コマンド５０１、検索条件として現在時刻５０２、性別比５０３、人数情報５０４をからなるフレームを作成し送信する。
【００２４】
図５の（ｂ）は、図５（ａ）の要求に対する広告情報の取得結果返信用のフレーム構成図である。広告情報を返信する場合は、送信先を一意に識別する送信先ID５０５、広告データベースに格納されている広告ID５０６、広告情報５０７からなるフレームを作成し送信する。
【００２５】
図５の（ｃ）は、広告表示システム１２がデータベースシステム１１に対して送信する特徴情報の取得要求のフレーム構成図である。特徴情報データベース１１３に格納されている特長情報の送信を依頼する場合は、特徴情報取得コマンド５０８、取得件数５０９からなるフレームを作成し送信する。
【００２６】
図５の（ｄ）は、図５（ｃ）の要求に対する特徴情報の取得結果返信用のフレーム構成図である。特徴情報を返信する場合は、送信先を一意に識別する送信先ID５１０、特徴データベースに格納されている特徴ID５１１、特徴情報５１２からなるフレームを作成し送信する。
【００２７】
図６の（ａ）は、広告表示システム１２がデータベースシステム１１に対して送信する課金情報データベース１１２の更新要求のフレーム構成図である。課金情報データベース１１２に格納されている課金情報の更新を依頼する場合は、課金情報更新コマンド６０１、更新対象となる広告ID６０２、表示回数６０３からなるフレームを作成し送信する。
【００２８】
図７の（ａ）は、データ登録／参照システム１７がデータベースシステム１１に対して送信する広告情報の更新要求のフレーム構成図である。広告情報データベース１１１に格納されている広告情報の更新を依頼する場合は、広告情報更新コマンド７０１、更新情報となる広告ID７０２、表示時刻７０３、性別比７０４、通過人数７０５、広告情報７０６、広告価格７０７からなるフレームを作成し送信する。
【００２９】
図７の（ｂ）は、データ登録／参照システム１７がデータベースシステム１１に対して送信する広告情報の参照要求のフレーム構成図である。広告情報データベース１１１に格納されている広告情報の送信を依頼する場合は、広告情報参照コマンド７０８、検索条件７０９からなるフレームを作成し送信する。なお、検索条件７０９は広告ID、表示時刻、性別比、通過人数、広告情報、広告価格より構成される。
【００３０】
図７の（ｃ）は、図７（ｂ）の参照要求フレームに対する広告情報の参照結果のフレーム構成図である。広告情報データベース１１１の参照結果を返信する場合は、送信先を一意に識別する送信先ID７１０、広告データベースに格納されている広告ID７１１、表示時刻７１２、性別比７１３、通過人数７１４、広告価格７１５からなるフレームを作成し送信する。
【００３１】
以下、以上のように構成された広告表示システム１２の動作を説明する。
【００３２】
図８は広告表示システム１２の入力データ解析処理１２１の処理概要を示すフローチャートである。画像入力部より画像情報を取得し（ステップ８０１）、この情報を入力として画像情報解析処理を実行し結果を得る（ステップ８０２）。続いて、音声入力部より音声情報を取得し（ステップ８０３）、この情報を入力として音声情報解析処理を実行し結果を得る（ステップ８０４）。最後に、画像情報解析処理の結果を通過人数、音声情報解析処理の結果を性別比として広告情報取得処理へ渡す（ステップ８０５）。
【００３３】
図９は、図８で示した入力データ解析処理から呼び出される画像情報解析処理の処理概要を示すフローチャートである。画像情報解析処理は、データベースシステム１１へ図５（ｃ）に示すフレーム情報を送信し、特徴情報データベース１１３のデータを取得する。取得したデータより特徴情報を抽出し、特徴情報集合と呼ばれるデータ集合を作成する（ステップ９０１）。次に、入力データ解析処理から受け取った画像情報を図１０に示す格子状の部分画像１０１に分割し、部分画像により構成される部分画像集合と呼ばれるデータ集合を作成する（ステップ９０２）。特徴情報画像から特徴情報を１つ選択し（ステップ９０３）、部分画像集合の全要素と類似度を比較し、類似度が一定の閾値を超えたものの数をカウントする（ステップ９０４）。この数が1以上であった場合、その数だけ保持しているカウント値を増加させ、閾値を超えた部分画像については部分画像集合の要素から取り除く（ステップ９０５）。一方、この数が0であった場合、特徴情報集合から新たな特徴情報を１つ選択し、ステップ９０４以降の処理を新たに実行する。
【００３４】
上記ステップ９０３からステップ９０５まで、特徴情報集合または部分画像集合が空となり、比較対象がなくなるまで繰り返す。これらの処理の完了後、カウント値を通過人数として呼び出し側の入力データ解析処理に返す。なお、画像情報解析処理は、画像情報中に存在する人間の頭部の数を集計し、これを通過人数としている。
【００３５】
図１１は、図８で示した入力データ解析処理から呼び出される音声情報解析処理の処理概要を示すフローチャートである。音声情報解析処理は、入力データ解析処理から受け取った音声情報から男性の声、女性の声を周波数帯によって分離し、男性の声の周波数帯に属する音声情報を男声情報、女性の声の周波数帯に属する音声情報を女声情報とする（ステップ１１０１）。男声情報の振幅の大きさを男声ボリューム、女声情報の振幅の大きさを女声ボリュームとし、これらのボリューム比率を以下の式に基づき算出する（ステップ１１０２）。
【００３６】
（ボリューム比率）＝男声ボリューム／（男声ボリューム＋女声ボリューム）
【００３７】
ボリューム比率を性別比として入力データ解析処理へ返す（ステップ１１０３）。なお、音声情報解析処理は、音声情報中に存在する男性の声と女性の声それぞれの大きさを、表示部１４を設置した場所に存在する男女の比率として算出している。
【００３８】
図１２は、広告情報検索処理１２２の処理概要を示すフローチャートである。広告情報検索処理は、図８に示した入力情報解析処理より広告情報の検索条件となる通過人数と性別比を取得する（ステップ１２０１）。次に、内蔵時計１３より現在時刻を取得する（ステップ１２０２）。現在時刻、通過人数、性別比を基に図５（ａ）に示すフレームを作成し、データベースシステム１１に対し広告情報取得要求を送信する（ステップ１２０３）。データベースシステム１１より、この要求に対する返信として図５（ｂ）に示すフレームの形式で広告情報を受信し、広告情報を広告価格の降順にソートし、広告表示処理１２３へ渡す（ステップ１２０４）。
【００３９】
図１３は、広告情報表示処理１２３の処理概要を示すフローチャートである。広告情報表示処理は、広告情報検索処理１２２より表示する広告情報を取得する（ステップ１３０１）。次に、内蔵時計から現在時刻を取得し、広告情報の表示開始時刻として記録する（ステップ１３０２）。取得した広告情報を表示部１４に出力し、表示した広告の表示回数をカウントする（ステップ１３０３）。内蔵時計から現在時刻を取得し、ステップ１３０２で記録した表示開始時刻と比較することで、表示経過時間を算出し、この経過時間が予め設定した表示限界時間を超えた場合は、広告情報表示処理を終了し、表示した広告の広告IDとカウントした表示回数を基に図６（ａ）に示すフレームを作成し、データベースシステム１１へ広告の表示回数を送信する（ステップ１３０４）。なお、広告情報表示処理は表示限界時間毎に表示する広告情報を広告情報検索処理１２２から受け取り更新を行う。
【００４０】
図１４は、データ登録／参照システム１７のデータ参照要求処理１７１とデータ取得要求処理１７２の処理概要を示すフローチャートである。データ参照要求処理１７１は、図１５に示す操作画面より広告ID１５１、表示時刻１５２、性別比１５３、通過人数１５４、広告価格１５５を取得する（ステップ１４０１）。この取得したデータを基に、図７(b)に示す広告情報の参照要求フレームを作成し、データベースシステム１１へ送信する（ステップ１４０２）。次に、データベースシステム１１より図７(c)に示す広告情報の参照結果フレームを受信し、図１６に示す結果表示画面に一覧表示する（ステップ１４０３）。データ更新要求処理１７２は、図１７に示す操作画面より広告ID１７１、表示時刻１７２、性別比１７３、通過人数１７４、広告情報１７５、広告価格１７６を取得する（ステップ１４０４）。この取得したデータを基に、図７(a)に示す広告情報の更新要求フレームを作成し、データベースシステム１１へ送信する（ステップ１４０５）。
【００４１】
図１８は、データベースシステム１１のデータ取得／登録処理１１４の処理概要を示すフローチャートである。データ取得／登録処理１１４はデータ登録参照システム１７または広告表示システム１２からフレームを受信し、フレームに含まれるコマンドに応じた処理を実施する（ステップ１８０１）。受信したフレームが図５(a)に示す広告情報取得コマンド５０１を含む場合、フレームから現在時刻５０２、性別比５０３、人数情報５０４を取り出し、取り出した情報を検索条件として広告情報データベース１１１から該当する広告ID２０１、広告情報２０７を検索結果として得る（ステップ１８０２、ステップ１８０３）。 この検索結果を元に図５(b)に示す返信用フレームを作成し、広告表示システム１２へ返信する（ステップ１８０４）。受信したフレームが図５(c)に示す特徴情報取得コマンド５０８を含む場合、フレームから取得件数５０９を取り出し、特徴情報データベース１１３から取得件数分の任意のデータを取り出し検索結果とする（ステップ１８０５、ステップ１８０６）。 この検索結果を基に図５(d)に示す返信用フレームを作成し、広告表示システム１２へ返信する（ステップ１８０７）。受信したフレームが図６(a)に示す課金情報更新コマンド６０１を含む場合、フレームから、広告ID６０２、表示回数６０３を取り出し、取り出した広告ID６０２を検索条件として課金情報データベース１１２から該当する広告ID３０１、広告表示回数３０２を取り出し検索結果として得る（ステップ１８０８、ステップ１８０９）。次にフレームから取り出した表示回数６０３を、課金情報データベース１１２から取り出した広告表示回数３０２へ加えた結果を広告ID３０１と共に課金情報データベース１１２へ登録する（ステップ１８１０）。受信したフレームが図７(a)に示す広告情報更新コマンド７０１を含む場合、フレームから、広告ID７０２、表示時刻７０３、性別比７０４、通過人数７０５、広告情報７０６、広告価格７０７を取り出す（ステップ１８１１）。広告ID７０２が空の場合は、広告情報データベース１１１に存在しない広告IDを新たに作成し、フレームから取り出した表示時刻７０３、性別比７０４、通過人数７０５、広告情報７０６、広告価格７０７と共に広告情報データベース１１１へ登録する。これ以外の場合、フレームから取り出した広告ID７０１に該当する広告情報データベース１１１のデータをフレームから取り出した表示時刻７０３、性別比７０４、通過人数７０５、広告情報７０６、広告価格７０７で更新する（ステップ１８１２）。受信したフレームが図７(b)に示す広告情報参照コマンド７０８を含む場合、フレームから検索条件７０９を取り出し、取り出した情報を検索条件として広告情報データベース１１１から該当する広告ID２０１、表示時刻２０２、性別比２０３、通過人数２０４、広告価格２０６を検索結果として得る（ステップ１８１３、ステップ１８１４）。 この検索結果を元に図７(c)に示す返信用フレームを作成し、広告表示システム１２へ返信する（ステップ１８１５）。
【００４２】
なお、上記実施形態においては、最適な広告を選択するために音声情報と画像情報を利用したが、入力部を追加変更し、追加変更した入力部から得られる情報の解析処理を追加変更することで、実施形態とは異なる基準で最適な広告を選択し表示することが可能である。
【００４３】
例えば、入力部として温度センサーを追加することで、設置環境の気温に応じた広告を表示することができる。
【産業上の利用可能性】
【００４４】
宣伝効果の高い広告を自動的に提供しようとする用途に利用可能である。
【符号の説明】
【００４５】
１１  データベースシステム
１１１  広告情報データベース
１１２  課金情報データベース
１１３  特徴情報データベース
１１４  データ取得／登録処理
１２  広告表示システム
１２１  入力データ解析処理
１２２  広告情報取得処理
１２３  広告情報表示処理
１３  内蔵時計
１４  表示部
１５  画像入力部
１６  音声入力部
１７  データ登録／参照システム
１７１  データ参照要求処理
１７２  データ登録要求処理
１８  端末部
１９  公衆回線網
【図１】
2010224329.tif 000003
【図２】
2010224329.tif 000004
【図３】
2010224329.tif 000005
【図４】
2010224329.tif 000006
【図５】
2010224329.tif 000007
【図６】
2010224329.tif 000008
【図７】
2010224329.tif 000009
【図８】
2010224329.tif 000010
【図９】
2010224329.tif 000011
【図１０】
2010224329.tif 000012
【図１１】
2010224329.tif 000013
【図１２】
2010224329.tif 000014
【図１３】
2010224329.tif 000015
【図１４】
2010224329.tif 000016
【図１５】
2010224329.tif 000017
【図１６】
2010224329.tif 000018
【図１７】
2010224329.tif 000019
【図１８】
2010224329.tif 000020